(57)【要約】  本発明は、機械式スクロール装置とユーザーインターフェイス装置とを含む、媒体の印刷ロールをスクロールするためのスクロールシステムに関する。前記機械式スクロール装置は、前記印刷ロールを設置するための第１のワインダーであって、該第１のワインダーから前記印刷ロールを巻き出すことができる、第１のワインダーと、前記第１のワインダーから巻き出された前記印刷ロールを巻き取るための第２のワインダーと、前記印刷ロールの一部分が前記第１のワインダーから巻き出されているが、前記第２のワインダーにまだ巻き取られていない領域である巻き出し領域と、を含み、前記第１のワインダー及び前記第２のワインダーのうちの少なくとも一方のワインダーはモーターにより駆動可能である。前記ユーザーインターフェイス装置は、前記ロールに印刷された画像のデジタル表現の一部の選択を受け付けるように構成され、前記ユーザーインターフェイス装置が前記ロールに印刷された画像のデジタル表現の一部の選択を受け付けると、前記モーターが作動して、前記デジタル表現の選択された一部に対応する前記印刷ロールの一部分が前記巻き出し領域内に到達するまで前記２つのワインダーにより前記印刷ロールがスクロールされる。本発明は、前記スクロールシステムにより適用される方法にも関する。
2017505724.tif 000002
【特許請求の範囲】
【請求項１】
機械式スクロール装置とユーザーインターフェイス装置とを含む、媒体の印刷ロールをスクロールするためのスクロールシステムであって、
前記機械式スクロール装置は、
前記印刷ロールを設置するための第１のワインダーであって、該第１のワインダーから前記印刷ロールを巻き出すことができる、第１のワインダーと、
前記第１のワインダーから巻き出された前記印刷ロールを巻き取るための第２のワインダーと、
前記印刷ロールの一部分が前記第１のワインダーから巻き出されているが、前記第２のワインダーにまだ巻き取られていない領域である巻き出し領域と、
を含み、
前記第１のワインダー及び前記第２のワインダーのうちの少なくとも一方のワインダーはモーターにより駆動可能であり、
前記ユーザーインターフェイス装置は、前記ロールに印刷された画像のデジタル表現の一部の選択を受け付けるように構成され、
前記ユーザーインターフェイス装置が前記ロールに印刷された画像のデジタル表現の一部の選択を受け付けると、前記モーターが作動して、前記デジタル表現の選択された一部に対応する前記印刷ロールの一部分が前記巻き出し領域内に到達するまで前記２つのワインダーにより前記印刷ロールがスクロールされ、
当該スクロールシステムは、前記巻き出し領域内に又はその近傍に配置されるとともに、前記印刷ロールの一部分に仕上げを行う仕上げシステムを含み、該一部分は前記デジタル表現の一部に対応し、該一部は前記ユーザーインターフェイス装置上で選択されるとともに、該一部のそばにあるか又は該一部内にある少なくとも１つの仕上げマークを含み、該少なくとも１つの仕上げマークは、前記一部分の位置が当該スクロールシステムの前記巻き出し領域内の前記仕上げシステムに到達したときに前記仕上げシステムの作動を決定する、スクロールシステム。
【請求項２】
前記ユーザーインターフェイス装置は、前記ロールに印刷された画像のデジタル表現の少なくとも一部を表示して、該デジタル表現の一部の選択を容易にするように構成されている、請求項１に記載のスクロールシステム。
【請求項３】
前記ユーザーインターフェイス装置は、前記デジタル表現の一部にスクロールするためのスクロール動作を受け付けるように構成され、前記ユーザーインターフェイス装置上で前記デジタル表現の一部にスクロールすると、前記モーターが作動して、前記印刷ロールの一部分が前記巻き出し領域内に到達するまで前記２つのワインダーによって前記印刷ロールがスクロールされ、前記印刷ロールの該一部分は前記デジタル表現のスクロールされた一部に対応する、請求項２に記載のスクロールシステム。
【請求項４】
前記スクロールシステムは、前記巻き出し領域内に前記印刷ロールの一部分が到達した瞬間を判定するためのカメラシステムを含む、請求項１乃至３のいずれか一項に記載のスクロールシステム。
【請求項５】
前記巻き出し領域は、前記印刷ロールの一部分を観察するための観察領域を含み、該一部分は、前記デジタル表現の前記選択された一部に対応する、請求項１乃至４のいずれか一項に記載のスクロールシステム。
【請求項６】
前記仕上げシステムは、前記印刷ロールを複数部分に切断するための切断システムであり、前記印刷ロールが第１の部分と第２の部分とに切断されると、前記印刷ロール上の画像のデジタル表現が該第１の部分の印刷画像に対応する第１のデジタル表現と、該第２の部分の印刷画像に対応する第２のデジタル表現とに分割される、請求項１乃至５のいずれか一項に記載のスクロールシステム。
【請求項７】
前記スクロールシステムはロールツーロール印刷システムを含む、請求項１乃至６のいずれか一項に記載のスクロールシステム。
【請求項８】
印刷ロールを巻き出すための方法であって、当該方法は、
（ａ）ロールに印刷された画像のデジタル表現の少なくとも一部をユーザーインターフェイス装置により表示するステップと、
（ｂ）前記ユーザーインターフェイス装置により前記デジタル表現の一部の選択を受け付けるステップと、
（ｃ）前記デジタル表現の選択された一部に対応する前記印刷ロールの一部分まで前記印刷ロールを自動的に巻き取るステップと、
を含む方法。
【請求項９】
前記デジタル表現の一部は、前記ユーザーインターフェイス装置上で前記デジタル表現のある位置にスクロールすることによって選択される、請求項８に記載の方法。
【請求項１０】
前記印刷ロールの前記一部分がオペレータの検査のために見えるようになるまで前記印刷ロールが巻き取られる、請求項８又は９に記載の方法。
【請求項１１】
前記選択は仕上げマークを含み、前記方法は、
（ａ）前記仕上げマークを含む前記選択に対応する一部分が仕上げ手段に到達すると、該仕上げ手段により前記ロールの該一部分に仕上げを行うためのコマンドを生成するステップと、
（ｂ）前記仕上げ手段により前記コマンドを受信するステップと、
（ｃ）前記仕上げ手段により前記印刷ロールの前記一部分に仕上げを行うステップと、
をさらに含む、請求項８乃至１０のいずれか一項に記載の方法。
【請求項１２】
前記コマンドは、仕上げについての同意が前記ユーザーインターフェイス装置によってなされた後に生成される、請求項１１に記載の方法。
【請求項１３】
請求項８乃至１２のいずれか一項に記載の方法を行うようにコンピュータに命令するように構成されたコンピュータ実行可能プログラムコードを含む記録媒体。
【発明の詳細な説明】
【技術分野】
【０００１】
本発明は、機械式スクロール装置とユーザーインターフェイス装置とを含む、媒体の印刷ロールをスクロールするためのスクロールシステムに関する。前記機械式スクロール装置は、前記印刷ロールを設置するための第１のワインダーであって、該第１のワインダーから前記印刷ロールを巻き出すことができる（unwindable）、第１のワインダー（winder）と、前記第１のワインダーから巻き出された前記印刷ロールを巻き取るための第２のワインダーと、前記印刷ロールの一部分（a  piece  of）が前記第１のワインダーから巻き出されているが、前記第２のワインダーにまだ巻き取られていない領域である巻き出し領域（unwound  area）とを含み、前記第１のワインダー及び前記第２のワインダーのうちの少なくとも一方のワインダーがモーターにより駆動可能である。
【背景技術】
【０００２】
今日、媒体のロールに画像を印刷するために印刷システムを利用できる。媒体のロール全体に画像が印刷された場合、ロールに印刷された特定の画像を探すのは難しい。ユーザーの操作（user  interaction）がロールの巻き取りの開始及び停止に制限されるように機械的なソリューションが設けられている。
【０００３】
本発明は、媒体のロールに印刷された画像を容易に探す方法を促進するためのシステムを提供することを目的とする。
【発明の概要】
【課題を解決するための手段】
【０００４】
本発明によれば、上記の目的は、導入部に記載のスクロールシステムにより実現される。前記ユーザーインターフェイス装置は、前記ロールに印刷された画像のデジタル表現の一部の選択を受け付ける（receive）ように構成され、前記ユーザーインターフェイス装置が前記ロールに印刷された画像のデジタル表現の一部の選択を受け付けると、前記モーターが作動して、前記デジタル表現の選択された一部に対応する前記印刷ロールの一部分が前記巻き出し領域内に到達するまで前記２つのワインダーにより前記印刷ロールがスクロールされる。
【０００５】
オペレータは、印刷ロールの画像のデジタル表現に自身が必要とする画像をユーザーインターフェイス装置により選択する。印刷ロールは、印刷ロールの正確な位置まで自動的に巻き出される。一実施形態によれば、機械式スクロール装置は、印刷ロールのどの部分が巻き出し領域内に到達したかを、ロールから巻き出される媒体の近傍に位置するセンサ又はカメラにより測定する。別の実施形態によれば、機械式スクロール装置は、第１のワインダーから既に巻き出された媒体の量及び／又は第２のワインダーにより既に巻き取られた媒体の量を登録する。それにより、巻き出し領域内にある印刷ロールの部分が厳密に分かる。
【０００６】
一実施形態によれば、ユーザーインターフェイス装置は、前記ロールに印刷された画像のデジタル表現の少なくとも一部を表示して、該デジタル表現の一部の選択を容易にするように構成されている。オペレータ又はユーザーは、ユーザーインターフェイス装置のディスプレイ上でデジタル表現の一部を選択する。例えば、特定の画像を選択してもよいし又は複数の画像を選択してもよい。複数の画像はロールに連続的に印刷されている。
【０００７】
一実施形態によれば、前記ユーザーインターフェイス装置は、前記デジタル表現の一部にスクロールするためのスクロール動作を受け付けるように構成され、前記ユーザーインターフェイス装置上で前記デジタル表現の一部にスクロールすると、前記モーターが作動して、前記印刷ロールの一部分が前記巻き出し領域内に到達するまで前記２つのワインダーにより前記印刷ロールがスクロールされ、前記印刷ロールの該一部分は前記デジタル表現のスクロールされた一部に対応する。スクロールは、ユーザーインターフェイス装置のタッチスクリーンにより又はユーザーインターフェイス装置のディスプレイによって可能となり、該ディスプレイは、ロールに印刷された画像のデジタル表現の部分に沿ってスクロールバーを示す。前後へのスクロールが可能であり、第１のワインダー及び第２のワインダーの巻き出し（forward  winding）及び巻き戻し(backward  winding)がそれぞれ可能である。印刷ロールの巻き出し及び巻き戻しの場合、２つのモーター（第１のワインダーのホルダーに連結された１つのモーター及び第２のワインダーのホルダーに連結された１つのモーター）が想定され得る。このように、機械式スクロール装置は、第１のワインダー及び第２のワインダーに対して対称に設計され得る。
【０００８】
一実施形態によれば、前記スクロールシステムは、前記巻き出し領域内に前記印刷ロールの一部分が到達した瞬間を判定するためのカメラシステムを含む。カメラシステムはロール上の印刷画像を登録し、それらの印刷画像をデジタル表現のデジタル画像と比較する。それにより、デジタル表現のスクロールとワインダーの巻き取りとの同期が確立される。
【０００９】
一実施形態によれば、前記巻き出し領域は、前記印刷ロールの一部分を観察するための観察領域（view  area）を含み、該一部分は、前記デジタル表現の前記選択された一部に対応する。それにより、ユーザー又はオペレータは、巻き出し領域内に到達した印刷ロールの一部分を確認することができる。
【００１０】
一実施形態によれば、当該スクロールシステムは、前記巻き出し領域内に又はその近傍に配置されるとともに、前記印刷ロールの一部分に仕上げを行う仕上げシステムを含み、該一部分は前記デジタル表現の一部に対応し、該一部は前記ユーザーインターフェイス装置上で選択される。そのような仕上げシステムは、切断システム、グロメット加工機、穿孔機、ステープラー等であり得る。印刷ロールの特定部分の仕上げは、デジタル表現の対応部分のそばにあるか又は該対応部分内にある仕上げマークによりデジタル表現の対応部分において示される。デジタル表現上の仕上げマークは、印刷ロールの表現の仕上げマークに対応する印刷ロールの部分の位置が、巻き出し領域内の仕上げシステムに到達したときに仕上げシステムの作動を決定し得る。
【００１１】
さらなる実施形態によれば、前記仕上げシステムは、前記印刷ロールを少なくとも２つの部分に切断するための切断システムであり、前記印刷ロールが少なくとも２つの部分に切断されると、前記印刷ロール上の画像のデジタル表現が第１のワインダー上に残った媒体の印刷画像に対応する第１のデジタル表現と、第２のワインダー上に残った媒体の印刷画像に対応する第２のデジタル表現とに分割される。
【００１２】
一実施形態によれば、スクロールシステムはロールツーロール印刷システムを含む。媒体のロールは巻き出し領域で印刷される。ロール全体に画像が印刷されると、ここでもユーザーインターフェイス装置により第１のワインダー及び第２のワインダーが作動されて、第２のロールから印刷画像が巻き出される。巻き出し領域内にある巻き出された媒体に印刷することができるようにするために及び／又は媒体に印刷された画像を巻き出し領域で観察できるようにするため及び／又は巻き出し領域内で媒体の仕上げを行うことができるように巻き出し領域が拡大され得る。
【００１３】
本発明は、印刷ロールを巻き出すための方法にも関する。当該方法は、ロールに印刷された画像のデジタル表現の少なくとも一部をユーザーインターフェイス装置により表示するステップと、前記ユーザーインターフェイス装置により前記デジタル表現の一部の選択を受け付けるステップと、前記デジタル表現の選択された一部に対応する前記印刷ロールの一部分まで前記印刷ロールを自動的に巻き取るステップと、を含む。
【００１４】
当該方法の一実施形態によれば、前記デジタル表現の一部は、前記ユーザーインターフェイス装置上で前記デジタル表現のある位置にスクロールすることによって選択される。
【００１５】
当該方法の一実施形態によれば、前記印刷ロールの前記一部分がオペレータの検査のために見えるようになるまで前記印刷ロールが巻き取られる。
【００１６】
一実施形態によれば、当該方法は、仕上げ手段により前記ロールの該一部分に仕上げを行うためのコマンドをユーザーインターフェイスで受信するステップと、印刷ロールの一部分に仕上げを行うステップとをさらに含む。
【００１７】
本発明は、上記の方法の実施形態のいずれかに係る方法を行うようにコンピュータに命令するように構成されたコンピュータ実行可能プログラムコードを含む記録媒体にも関する。
【００１８】
当業者であれば、上述した本発明のスクロールシステムの実施形態が何らかの形で組み合わされて、本発明の範囲に含まれる実施形態が得られることが分かる。また、当業者であれば、上述した本発明の方法の実施形態が何らかの形で組み合わされて、本発明の範囲に含まれる実施形態が得られることが分かる。
【００１９】
本発明の利用可能性のさらなる範囲が下記の詳細な説明から明らかになる。しかしながら、詳細な説明及び具体例は本発明の好ましい実施形態を示しているものの、それらは例示にすぎないことが分かる。何故なら、本発明の範囲内での様々な変更及び改良がこの詳細な説明から当業者に明らかになるからである。
【図面の簡単な説明】
【００２０】
非限定の実施形態を示す添付の図面を参照しながら、以下で本発明をさらに説明する。
【図１】図１は、本発明に係るスクロールシステムを概略的に示す。
【図２】図２Ａ及び図２Ｂは、ロールに印刷された画像のデジタル表現の一部を表示するためのユーザーインターフェイス装置を概略的に示す。
【図３】図３Ａ及び図３Ｂは、ロールに印刷された画像のデジタル表現の一部を表示するためのユーザーインターフェイス装置を概略的に示す。
【図４】図４は、観察領域を含むスクロールシステムを概略的に示す。
【図５】図５は、仕上げシステムを含むスクロールシステムを概略的に示す。
【図６】図６は、仕上げマークを含むデジタル表現を概略的に示す。
【図７】図７は、仕上げマークを含むデジタル表現を概略的に示す。
【図８】図８は、ロールを２つに切断した後のデジタル表現を概略的に示す。
【図９】図９Ａ及び図９Ｂは、ロールを２つに切断した後のデジタル表現を概略的に示す。
【図１０】図１０は、本発明に係る方法のフロー図である。
【発明を実施するための形態】
【００２１】
図１は、機械式スクロール装置５と、第１のユーザーインターフェイス装置８Ａ、第２のユーザーインターフェイス装置８Ｂ及び第３のユーザーインターフェイス装置８Ｃのうちの少なくとも１つとを含むスクロールシステムを示す。第１のユーザーインターフェイス装置８Ａは、機械式スクロール装置５に取り付けられたローカルユーザーインターフェイスを表す。第１のユーザーインターフェイス装置８Ａは、機械式スクロール装置５のオプションであってもよい。第２のユーザーインターフェイス装置８Ｂは、ネットワークＮに接続されたワークステーション８Ｂを表す。第３のユーザーインターフェイス装置８Ｃは、機械式スクロール装置５との無線接続１１を有するモバイルユーザーインターフェイス装置を表す。機械式スクロール装置５は、ユーザーインターフェイス装置８Ａ〜８Ｃのうちの１つで作業を行うとともに、第１のワインダー１Ａに巻かれているロール１に印刷された画像を探そうとしているオペレータ又はユーザーが利用できる。機械式スクロール装置５は、有線又は無線接続手段６を通じてネットワークＮに接続されており、ユーザーインターフェイス装置８Ａ〜８Ｃのうちの少なくとも１つから起動コールを受信するのに適している。ネットワークＮは無線であってもよい。スクロール装置５は、プリントジョブを表示すること、プリントジョブを選択すること、プリントジョブの編集設定を行うこと及び本発明に係るロールに印刷された画像のデジタル画像を含むデジタル表現を作成・表示することに適したローカルユーザーインターフェイスユニット２を含む。
【００２２】
デジタル表現は、ワークステーション８Ａ〜８Ｂのうちの少なくとも１つ及び／又は印刷システムに有線又は無線接続されたモバイル装置８Ｃでも作成又は表示され得る。デジタル表現は、例えばデジタル画像が印刷される印刷システムによって、印刷時に作成され得る。別の実施形態では、ユーザーインターフェイスは、クライアントコンピュータ上のブラウザを使ってアクセス可能なネットワークサイトとして提供される。ユーザーインターフェイス装置８Ａ〜８Ｃは、機械式スクロール装置のコントロールユニット３に接続されている。
【００２３】
コントロールユニット３は、第１のワインダー１Ａから印刷ロール１を巻き出すため及び第２のワインダー２Ａで印刷ロール１を巻き上げるために、第１のワインダー１Ａ及び第２のワインダー２Ａを作動及び動作停止させるのに適している。ロール１に印刷された画像を表すデジタル画像は、コントロールユニット３内に含まれる記憶手段７に保存され得るか又はそれ以外の場所に保存され、ネットワークＮを通じて利用可能である。デジタル画像は、例えばワークステーション８Ｂに保存されてもよい。デジタル画像はモバイルユーザーインターフェイス装置８Ｃに保存されてもよい。機械式スクロール装置５は、媒体が展開された場合の最大寸法と定義される長さを有する印刷媒体の巻き取りロール１を徐々に展開する（work  up）。媒体の材料は紙、布地、ＯＨＰ（overhead）シート材料、プラスチック又はロールに巻き上げるのに適した任意の他の種類の材料若しくは基材であり得る。印刷ロール１はワインダー１Ａに取り付けられている。個別のデジタル画像がロール１に印刷されている。ロール１の印刷媒体９は、左側から機械式スクロール装置５に入り、巻き出し領域４を通って搬送され、機械式スクロール装置５の右側からを出る。スクロール装置５を出る印刷媒体１０は、第１のワインダー１Ａと同じように第２のワインダー２Ａに巻き取られる。媒体２は第１のワインダー１Ａから巻き出されて、第２のワインダー２Ａに巻き上げられたものである。巻き出し領域４は、印刷ロール１が第１のワインダー１Ａから巻き出されているものの、第２のワインダー２Ａにまだ巻き上げられていない領域である。
【００２４】
第１のワインダー１Ａ及び第２のワインダー２Ａのうちの少なくとも１つのワインダーはモーター（図示せず）によって駆動される。モーターは、例えば、連続切換型（sequentially  switched）直流電源で駆動される場合に、強度が実質的に均一な離散角運動（discrete  angular  movements）で構成される通常のシャフト動作を有するステップモーターである。巻き出し領域における媒体の速度は、各瞬間に記録可能及び／又は導出可能であり、デジタル表現の選択部分が巻き出し領域４に到達する前に巻き取りの量を決定するのに用いることができる。
【００２５】
一実施形態によれば、デジタル表現のデジタル画像のスクロールと２つのワインダーの巻き取りとの同期は、印刷ロール１の始まり及び印刷ロール１の終わりにおいてゲージによって確立される。ゲージは、デジタル表現で可視化されたロールの始まり及びロールの終わりの表示マークと比較される（図８、図９Ａ、図９Ｂ参照）。デジタル表現のデジタル画像をスクロールすることによって決められた位置までの巻き取り量について計算のために、媒体の厚さ及び印刷ロール１のワインダー１Ａ、２Ａの直径が初期化ステップで設定され得る。別の実施形態によれば、スクロールシステムの一部であるカメラシステム（図示せず）によって同期が確立される。カメラシステムは、スクロールシステムのコントロールユニット３に接続されている。カメラシステムは、デジタル表現の選択部分に対応する印刷ロールの一部分が巻き出し領域４に到達した瞬間を判断する。
【００２６】
ユーザーインターフェイス装置８Ａ〜８Ｃは、ロールに印刷された画像のデジタル表現の一部の選択を受け取るように構成されている。そのようなデジタル表現は、ユーザーインターフェイス装置８Ａ〜８Ｃのうちの少なくとも１つに又は機械式スクロール装置５内の記憶手段７に又はネットワークＮによりアクセス可能な任意の他の記憶場所に保存され得る。
【００２７】
ユーザーは、ロール１に印刷された画像のデジタル表現を表示するために、ユーザーインターフェイス装置８Ａ〜８Ｃのうちの１つでソフトウェアアプリケーションを起動し得る。ユーザーが、ロール１に印刷された画像のデジタル表現の一部をユーザーインターフェイス８Ａ〜８Ｃで選択すると、モーターが作動して、デジタル表現の選択部分に対応する印刷ロール１の一部分が巻き出し領域４内に到達するまで２つのワインダー１Ａ、２Ａにより印刷ロールがスクロールされる。ロール１に印刷された画像のデジタル表現は、ロール１に印刷された画像毎に、ロール１のどの位置に画像が印刷されているかについてのデジタル情報を含む。
【００２８】
図２Ａは、本発明に係るユーザーインターフェイス装置２０を示す。ユーザーインターフェイス装置２０は、ロールに印刷された画像２１、２２、２３、２４のデジタル表現の部分２５を表示する。オペレータ又はユーザーは、ユーザーインターフェイス装置２０上でデジタル表現２５の一部を選択してもよい。例えば、画像２１、２２、２３、３４のうちの特定の画像を選択してもよいし又は複数の画像を選択してもよい。複数の画像は連続的にロールに印刷されたものであってもよいし又はデジタル表現２５の画像のうちで散在していてもよい。図２に示す実施形態によれば、デジタル表現２５は個別のデジタル画像２１、２２、２３、２４を順番に含み、個別のデジタル画像２１、２２、２３、２４はその順番でロールに印刷されている。ユーザーインターフェイス装置２０のディスプレイの寸法に応じて、個別のデジタル画像２１、２２、２３、２４の寸法、デジタル表現２５に適用される倍率、表示される個別のデジタル画像の数が異なり得る。
【００２９】
図２Ｂは、ユーザーインターフェイス装置２０上のデジタル表現２５の別の実施形態を示す。個別のデジタル画像２１、２２、２３、２４に沿って距離インジケータ２６が設けられている。距離インジケータ２６は、ロールの始まりからどの距離のところに各個別のデジタル画像が印刷されているかを示す。距離インジケータは、インチ、フィート、ヤード、デシメートル、センチメートル、メートル等の距離測定単位の目盛りと数字の表示とを有する定規を備える。
【００３０】
図３Ａは、本発明に係るデジタル表現３５の別の実施形態を示す。デジタル表現３５は、選択可能なサムネール３１〜３４のリスト３０を含む。サムネール３１〜３４のぞれぞれはロールに印刷された画像に対応する。サムネール３１〜３４のそれぞれと共に、ロール上の対応画像の位置が保存されている。サムネール３１〜３４のリスト３０は、ロール上の対応画像の印刷時の順番と同じ順番にソートしてもよい。
【００３１】
図３Ｂは、本発明に係るデジタル表現４５の別の実施形態を示す。デジタル表現４５は、選択可能なアイテム４１〜４４のリスト４０を含む。アイテム４１〜４４のそれぞれは、ロールに印刷された画像に対応する。リスト４０内のアイテム４１〜４４ごとに、ファイル名４６と、ロール上の対応画像の開始位置及びロール上の対応画像の終了位置間の長さアイテム（length  item）４７とが表示される。アイテムのリスト４０は、ロール上の対応画像の印刷時の順番と同じ順番にソートしてもよい。ファイル名４６や長さアイテム４７以外にも、例えば、デジタル画像の作成時刻、印刷画像の印刷時刻といった印刷画像の他のメタデータをリスト４０に表示してもよい。
【００３２】
図２Ａ、図２Ｂ、図３Ａ、図３Ｂに示す実施形態は、本発明の範囲に含まれる実施形態を確立するために当業者によって様々な形で組み合わされ得る。
【００３３】
一実施形態によれば、デジタル表現２５（図２Ａ〜図２Ｂ）、３５（図３Ａ）、４５（図３Ｂ）は、デジタル表現２５、３５、４５内の個別のデジタル画像を前後にスクロールするためのスクロールバーを含む。
【００３４】
ユーザーインターフェイス装置がタッチスクリーンを含む場合、前後へのスクロールは、デジタル表現２５、３５、４５を対応する方向にスワイプすることによって実現され得る。
【００３５】
ユーザーインターフェイス装置２０上でデジタル表現のある部分にスクロールすると、機械式スクロール装置のモーターが始動され、ユーザーインターフェイス装置２０上でスクロールされたデジタル表現の一部に対応する印刷ロールの一部分が巻き出し領域に到達するまで２つのワインダーが印刷ロールを巻き取る。デジタル表現を前後にスクロールすることが可能であるため、第１及び第２のロールの巻き出し及び巻き戻しがそれぞれ可能である。印刷ロールの巻き出し及び巻き戻しの場合、２つのモーター（第１のワインダー用に１つのモーター、第２のワインダー用に１つのモーター）が想定され得る。このように、機械式スクロール装置は、第１のワインダー及び第２のワインダーに対して対称的に設計され得る。
【００３６】
図４は、本発明に係る機械式スクロール装置４００の一実施形態を示す。巻き出し領域４０２は、印刷ロールの観察部分４０５を観察するための観察領域４０１を含む。観察部分４０５はユーザーインターフェイス装置上のデジタル表現の選択部分に対応する。これによって、ユーザー又はオペレータは、印刷ロールの観察部分４０５が巻き出し領域４０２に到達したかどうか確認できる。観察部分４０５は、機械式スクロール装置４００の開口である観察領域４０１内で見ることができる。印刷ロールの観察部位はロールの第１の部分４０４とロールの第２の部分４０６との間にある。オペレータには第１の部分４０４及び第２の部分４０６の双方ともが見える。観察部分４０５を観察するための観察領域は、機械式スクロール装置４００の上部にある開口としても実現できる。
【００３７】
図５は、本発明に係る機械式スクロール装置５００の一実施形態を示す。スクロールシステムは、印刷ロールの一部分５０５に仕上げを行うために巻き出し領域５０２内に又はその近傍に位置する仕上げシステム５１０を含む。一部分５０５は、デジタル表現の一部に対応し、該一部はユーザーインターフェイス装置上で選択されている。図５は、ロールの幅方向（図５の面から離れる方向）にロールを切断して２つの部分にするための切断システム５１０を示す。一方の部分は切断システム５１０の左側にあり、他方の部分は切断システム５１０の右側にある。グロメット加工機、穿孔機、ステープラー等の他の仕上げ装置も想定され得る。
【００３８】
図６は、印刷ロールの一部のデジタル表現６０の別の実施形態を示す。この実施形態は、本発明に係る機械式スクロールシステムが、例えば図５に示す仕上げシステムを含む場合にとりわけ有用である。印刷ロールの特定部分の仕上げは、デジタル表現６０の対応画像６１のそばにあるか又は対応画像６１内にある仕上げマーク６２〜６７によって示される。デジタル表現上の仕上げマーク６２〜６７は、印刷ロールのデジタル表現６０の仕上げマーク６２〜６７に対応する印刷ロールの部分の位置が、機械式スクロール装置の巻き出し領域内の仕上げシステムに到達したときに仕上げシステムの作動を決定する。仕上げマーク６２〜６７はグロメット用として媒体に開けられる孔を示すが、適切な仕上げシステムを用いた他の仕上げが想定され得る。孔は、一対の座標（ｘ、ｙ）によりデジタル画像６１と共に保存され得る。ソフトウェアアプリケーションは、一対の座標（ｘ、ｙ）によって示される仕上げマークを有する、ロールに印刷された画像を選択するために、特定の仕上げに属する仕上げマークの種類を選択できるようにしてもよい。
【００３９】
標準的なグラフィックアートのワークフローでは、仕上げマークは、印刷の前の製造準備ステップの間に又は印刷後の仕上げ準備ステップの間に、ロールに印刷されるべきデジタル画像に対して付加される。デジタル表現上の仕上げマークを認識するために、ユーザーインターフェイス装置に又は機械式スクロール装置のコントローラにソフトウェアアプリケーションをインストールしてもよい。仕上げマーク６２〜６７の形状及び色はそれぞれ丸及び白であるが、ロールのデジタル表現上の個別のデジタル画像から仕上げマークを識別及び認識し易くするために、別の形状及び／又は別の色が想定される。ソフトウェアアプリケーションは、デジタル表現の画像を次の仕上げマークのところまでスクロールできるようにし得る。ソフトウェアアプリケーションは、ユーザーインターフェイス装置上で特定の仕上げマークを選択できるようにもし得る。そして、その特定の仕上げマークのところにデジタル表現がスクロールされる。選択と実質的に同時に、少なくとも１つのモーターが第１のワインダー及び／又は第２のワインダーを駆動することによって、媒体のロールは、選択された種類の仕上げマークによって示される仕上げ作業のための正確に位置に送られる。
【００４０】
仕上げシステムが印刷ロールを複数部分に切断する切断システムの場合、デジタル表現７５は、少なくとも１つの仕上げマーク７６及び４つの個別のデジタル画像７１〜７４、例えば、図７に示すようにユーザーインターフェイス装置上のロールのデジタル表現７５の適切な位置ある切断線の表示７６を含む。切断線の表示７６の位置に対応するロールの一部分が切断システムの場所に到達するとロールの送りが停止され、オペレータが切断システムを作動させるか又は切断システムが、切断線の表示７６に対応するロールの一部分でロールを自動的に切断する。
【００４１】
印刷ロールを第１の部分及び第２の部分に切断する際、印刷ロール上の画像７１〜７４のデジタル表現７５は、図８に示す第１のデジタル表現８５と、図９Ａに示す第２のデジタル表現９５Ａとに分割される。第１のデジタル表現８５は第１の部分を表す。第１のデジタル表現８５は、元のロールに印刷された画像７１〜７２に対応する画像８１〜８２と、元のロールに印刷されていたものであって、第１のデジタル表現８５の表示内で見えるようになったさらなる画像８０とを含む。第１の部分のロールの終わりの表示８６は、第１のデジタル表現８５の右側に設けられ、初期スクロールオプションとして左側へのスクロールのみ提供される。第２のデジタル表現９５Ａは第２の部分を表す。第２のデジタル表現９５Ａは、元のロールに印刷された画像７３〜７４に対応する画像９３Ａ〜９４Ａと、元のロールに印刷されていたものであって、第２のデジタル表現９５Ａの表示内で見えるようになったさらなる画像９６Ａとを含む。第２の部分のロールの終わりの表示９７Ａは、第２のデジタル表現９５Ａの左側に設けられ、初期スクロールオプションとして右側へのスクロールのみ提供される。第２のデジタル表現９５Ａは、第２の部分が第２のワインダーの左側にある場合に好適である。
【００４２】
第１のデジタル表現８５は、例えば、対応するワインダーに取り付けられた識別手段を通じて、対応するワインダーに関連付けされてもよい。第２のデジタル表現９５Ａは、例えば、対応するワインダーに取り付けられた識別手段を通じて、対応するワインダーに関連付けされてもよい。識別手段は、バーコード、ＱＲコード、ＲＦＩＤユニット、電子ビーコン等を含み得る。
【００４３】
別の実施形態によれば、第１の部分及び第１のワインダーがホルダーから取り出され、第２の部分は、第２のワインダーにおけるホルダーから第１のワインダーにおけるホルダーに切り替えられる。ロールの第２の部分に対して行われるさらなる作業のために第１のワインダーに現在位置する印刷画像を表すため、対応するデジタル表現９５Ｂの個別のデジタル画像９３Ｂ、９４Ｂ、９６Ｂの順番が、図９Ｂに示すように逆にされ得る。この状態では、第２の部分の終わりがデジタル表現の右側のロールの終わりの表示９７Ｂによって示され、初期スクロールオプションとして左側へのスクロールのみが提供される。個別の画像９３Ｂ、９４Ｂ、９６ＢはΠラジアン回転されている。
【００４４】
切断システムは２つ以上のナイフを含み得る。切断システムは、例えば、印刷画像の少なくとも一部を含む選択された部分をロールから切り取るために２つのナイフを含み得る。
【００４５】
図１０は、本発明に係る方法のフロー図である。係る方法は開始点Ａで始まる。
【００４６】
第１のステップＳ１では、ロールに印刷された画像のデジタル表現の少なくとも一部がユーザーインターフェイス装置のディスプレイ上に表示される。この部分は、ロールに印刷された画像を表す１つ以上のデジタル画像の少なくとも一部を含み得る。
【００４７】
第２のステップＳ２では、デジタル表現の一部の選択がユーザーインターフェイス装置により受け付けられる。選択は、その部分をマウスでクリックすること又はタッチスクリーンの場合ではタッチすることによって実現され得る。画像の複数選択もサポートされ得る。
【００４８】
第３のステップＳ３では、印刷ロールが印刷ロールのある部分まで巻き出される。その部分はデジタル表現の選択部分に対応する。方法の終点Ｂに到達する。
【００４９】
上記の方法のさらなる実施形態によれば、デジタル表現の一部は、ユーザーインターフェイス上のデジタル表現の位置にスクロールすることによって選択される。これは、デジタル表現のデジタル画像の数が多い場合にとりわけ有利である。ファイル名等の画像の特徴のサーチオプションがサポートされ得る。
【００５０】
上記の方法の一実施形態によれば、印刷ロールのある部分がオペレータの検査のために見えるようになるまで印刷ロールが巻き出される。巻き出し領域では、印刷ロールの部分を観察するために観察領域が確立されている。印刷ロールは、印刷ロールのある部分が巻き出し領域内の観察領域に入るまで巻き出し又は巻き取りされる。
【００５１】
一実施形態によれば、上記の方法は、仕上げ手段によりロールの一分に仕上げを行うためのコマンドを受け付けるステップと、印刷ロールの一部分に仕上げを行う施すステップとをさらに含む。コマンドはいくつかの形で受け付けられ得る。第１のケースでは、デジタル表現はデジタル画像に仕上げマークを含む。仕上げマークを含むデジタル画像に対応する印刷画像が仕上げ手段に到達すると直ぐにコマンドが生成され得る。コマンドは、仕上げ手段を含むスクロールシステムの制御ソフトウェアによって生成され得る。コマンドは仕上げ手段に送られる。第２のケースでは、第１のケースと同様にコマンドが生成されるものの、ユーザーインターフェイス手段によりオペレータが仕上げ加工について同意した後でしか生成されない。
【００５２】
上記の開示は例示に過ぎず、本発明の範囲を限定することを意図していない。本発明の範囲は下記の特許請求の範囲を参照することによって決定される。
【図１】
2017505724.tif 000003
【図２Ａ】
2017505724.tif 000004
【図２Ｂ】
2017505724.tif 000005
【図３Ａ】
2017505724.tif 000006
【図３Ｂ】
2017505724.tif 000007
【図４】
2017505724.tif 000008
【図５】
2017505724.tif 000009
【図６】
2017505724.tif 000010
【図７】
2017505724.tif 000011
【図８】
2017505724.tif 000012
【図９Ａ】
2017505724.tif 000013
【図９Ｂ】
2017505724.tif 000014
【図１０】
2017505724.tif 000015
【国際調査報告】
2017505724.tif 000016
2017505724.tif 000017
2017505724.tif 000018